(57)【特許請求の範囲】
【請求項１】
少なくとも１つのガスバーナを備えたコンロ本体と、コンロ本体の上部を覆う平坦部を備えた天板とを有するコンロにおいて、天板の上面に１つのバーナを囲む連続した凸部を形成し、凸部で囲まれた範囲内に納まる板状のカバーを天板に着脱自在に設け、位置決めブロックを上記凸部で囲まれた範囲内であって天板の平坦部上に設け、カバーを取り付けた際、カバーが位置決めブロック上に載置され平坦部とカバーとの間に隙間が形成されるようにし、かつ、上記凸部で囲まれた範囲内であって、平坦部上に五徳を載置する際、上記位置決めブロックの側面で五徳の位置決めを行うことを特徴とするコンロ。
【請求項２】
カバーを取り付けた状態で、上記凸部の上端とカバーの上面とがほぼ同じ高さになるようにしたことを特徴とする請求項１に記載のコンロ。
【請求項３】
カバーが取り付けられている状態を検知するセンサを設け、カバーが取り付けられている状態ではバーナへの点火を禁止する点火禁止手段を備えたことを特徴とする請求項１または請求項２に記載のコンロ。
【発明の詳細な説明】
【０００１】
【発明の属する技術分野】
本発明は、少なくとも１つのガスバーナを備えたコンロ本体と、コンロ本体の上部を覆う平坦部を備えた天板とを有するコンロに関する。
【０００２】
【従来の技術】
従来のこの種のコンロでは使用しない状態ではバーナ部分が外部に露出しないようにカバーを備えたものが知られている。例えば、実開昭５８−９１６０６号公報や実開昭６１−１３８９１７号公報により、コンロ本体の後部にヒンジを用いてコンロの天板全体を覆う板状のカバーを開閉自在に取り付けたものが知られている。このような従来のカバーを備えたコンロではカバーの重量が重たく、カバーが自重で急速に閉まることを防止するためヒンジ部分にばね等の付勢手段を取り付け、カバーを開き方向に付勢することにより、カバーが急速に閉じることを防すると共に、小さな力でカバーを開閉できるようにしている。
【０００３】
【発明が解決しようとする課題】
上記従来のカバーを備えたコンロでは、カバーを開き方向に付勢しているため、カバーを閉じても付勢力で若干カバーが開き、カバーとコンロとの間に隙間が生じる。このようにカバーを閉じた状態でカバーとコンロとの間に隙間が生じると、デザイン上好ましくないばかりか、その隙間からカバー内にごみや虫が入るおそれがある。
【０００４】
そこで本発明は、上記の問題点に鑑み、小さな力で開閉することができ、かつカバーとコンロとの間に隙間が生じないコンロを提供することを課題とする。
【０００５】
【課題を解決するための手段】
上記課題を解決するために本発明によるコンロは、少なくとも１つのガスバーナを備えたコンロ本体と、コンロ本体の上部を覆う平坦部を備えた天板とを有するコンロにおいて、天板の上面に１つのバーナを囲む連続した凸部を形成し、凸部で囲まれた範囲内に納まる板状のカバーを天板に着脱自在に設け、位置決めブロックを上記凸部で囲まれた範囲内であって天板の平坦部上に設け、カバーを取り付けた際、カバーが位置決めブロック上に載置され平坦部とカバーとの間に隙間が形成されるようにし、かつ、上記凸部で囲まれた範囲内であって、平坦部上に五徳を載置する際、上記位置決めブロックの側面で五徳の位置決めを行うことを特徴とする。
【０００６】
従来のコンロのようにコンロ全体を１つのカバーで覆うのではなく、１つのコンロを１つのカバーで覆うことによりカバーを小型化し軽量化する。また、カバーは凸部で囲まれた範囲内に納まるようにセットするので凸部とカバーとの間に隙間ができにくい。
【０００７】
また、位置決めブロックを上記凸部で囲まれた範囲内であって天板の平坦部上に設け、カバーを取り付けた際、カバーが位置決めブロック上に載置され平坦部とカバーとの間に隙間が形成されるようにすれば、平坦部とカバーとが密着せず、特にカバーを取り外す際に、大きな力を必要としない。
【０００８】
また、上記凸部で囲まれた範囲内であって、平坦部上に五徳を載置する際、上記位置決めブロックの側面で五徳の位置決めを行うようにすればよい。
【０００９】
また、カバーを取り付けた状態で、上記凸部の上端とカバーの上面とがほぼ同じ高さになるようにすれば、カバーを取り付けた状態で凹凸が少なくフラットになりデザイン上優れたものになる。
【００１０】
ところで、カバーをした状態でバーナに点火されるとカバーが熱くなる。そのような場合には、カバーが取り付けられている状態を検知するセンサを設け、カバーが取り付けられている状態ではバーナへの点火を禁止する点火禁止手段を設ければよい。
【００１１】
【発明の実施の形態】
図１を参照して、１は本発明によるドロップインコンロ２が取り付けられる調理台天板である。この調理台天板１は台所に固定されていてもよく、あるいは下面に脚を固定し、移動させることのできるテーブルとしてもよい。この調理台天板１は本実施の形態では２重構造となっており、上側の第１調理台天板と下側の第２調理台天板とから構成されている。３はドロップインコンロ２の作動をコントロールするコントローラである。本図はドロップインコンロ２にカバー６をセットした状態を示している。
【００１２】
図２を参照して、Ｈは取り付け穴であり、第１調理台天板１１には円形の取り付け穴が形成され、第２調理台天板１２には矩形状の取り付け穴が開設されている。コンロ本体４の外形は矩形状であり、コンロ本体４を下方から取り付け穴Ｈに差し込むと第２調理台天板に開設された矩形状の取り付け穴には入るが、第１調理台天板１１に開設した取り付け穴は第２調理台天板１２に開設した取り付け穴の外接円より若干小径に形成されているので、コンロ本体４の４隅が干渉して、コンロ本体４は第１調理台天板１１の取り付け穴には入らない。なお、第１調理台天板１１の取り付け穴の形状と第２調理台天板の取り付け穴の形状とが相違するので、第２調理台天板が第１調理台天板の取り付け穴内に突出したのと同様の構造になる。その突出部分の上面Ｈａに載置されるように取り付けフランジ４１を第１調理台天板１１の取り付け穴に上方から挿入する。そして、この取り付けフランジ４１とコンロ本体４とをねじ４２で相互に締結する。
【００１３】
ところで、コンロ本体４には上記コントローラ３と電気的に連結されるためのコネクタ４３及び電源供給用のプラグ４４とが取り付けられている。４５はガス供給管がねじ込まれるガス供給口である。なお、このコンロ本体４には環状のバーナの内側に炎孔が並設された内炎式ガスバーナ４６が内蔵されている。
【００１４】
上述のようにコンロ本体４と取り付けフランジ４１とが相互にねじ止めされると、取り付けフランジ４１は突出部分の上面Ｈａに係合して保持される。その状態で次に天板５がセットされる。この天板５には上端に外側に拡がるフランジ部５１が形成されており、第１調理台天板１１の取り付け穴に対して上方からセットするとフランジ部５１が第１調理台天板の上面に係合し、天板５は第１調理台天板の上面によって保持される。
【００１５】
図３を参照して、取り付けフランジ４１の外周縁は上方に立ち上がり円筒壁部を形成している。一方、天板５のフランジ部５１の下面には第１調理台天板の上面との密着性を向上させるためにシリコンゴムからなるパッキン５１ａが貼着されている。そして、天板５をセットすると、このパッキン５１ａに円筒壁部の上端４１ａが強く当接する。このように先端４１ａがパッキン５１ａに当接すると、バーナの燃焼により生じた熱気が遮断され天板５の下面を伝って調理台天板１に作用しない。
【００１６】
天板５はフランジ部５１が一体に形成された金属製の金具と、その金具にシリコンコーキング剤５３によって取り付けられたガラス板５２とから構成されている。そして、そのガラス板５２の上面には適宜の位置決めブロック５４が取り付けられている。なお、本実施の形態では位置決めブロックの個数を３個としたが、適宜適当と思われる個数でよい。カバー６をセットすると、カバー６は位置決めブロック５４上に載置され、カバー６の上面と天板５の最上部の位置がほぼ一致する。本実施の形態では、フランジ部５１と第１調理台天板１１の上面との段差を１．７ｍｍにすることができた。
【００１７】
なお、図２において７は五徳であり、調理しない場合はこの五徳７を用いず、図１に示すようにカバー６を天板５にセットする。天板５のガラス板５２には、カバーセンサ８が取り付けられている。図４を参照して、このカバーセンサ８は上方に付勢され上下動自在に保持されたピン８１と、ピン８１の上下動によってオンオフされるマイクロスイッチ８２とから構成される。ピン８１の上端は天板５のガラス板５２から上方に突出しており、カバー６をセットするとピン８１はカバー６によって押し下げられ、マイクロスイッチ８２はオン状態になる。すると、コンロ本体４に内蔵されたマイコン（図示せず）は  カバー６がセットされていることを検知し、コントローラ３から点火操作がされてもガスバーナに点火することを禁止する。
【００１８】
調理する場合には、カバー６の中央に格納自在に設けたつまみ６１を突出させ、カバー６を天板５から取り外す。そして、天板５の中央に五徳７をセットする。図５を参照して、通常の大きさの鍋やケトル等の調理器具を使用する際には五徳７を用いる。この五徳７の下面には複数の耐熱樹脂からなる足７１が取り付けられており、天板５のガラス板５２にはこの足７１が接触することによりガラス板５２が傷付かないようにしている。また、五徳７の中央には漏斗状の傾斜部７２が設けられており、調理器具から煮こぼれ等が生じた場合、傾斜部７２で煮こぼれを中央へと案内するように構成されている。案内された煮こぼれ等は図示しないがコンロ本体４に設けられたトレイに溜まり、必要に応じて取り除かれる。なお、つまみ６１を設けずに穴をカバー６に形成し、その穴に指を引っかけてカバー６を天板５から取り外すようにしてもよい。
【００１９】
このようにカバー６が外されるとカバーセンサ８のピン８１が上昇し、マイクロスイッチ８２がオフになるので、上記マイコンはカバー６が外されたと判断し、コントローラ３から点火操作がされるとガスバーナ４６に点火する。
【００２０】
ところで、五徳７より遙かに大きな大型の鍋等を用いる場合には五徳７では安定が悪い。その場合には大型の五徳９を天板５のガラス板５２上に載置して調理を行う。この大型の五徳９は複数の爪９１がリング９２の内周に溶接されることにより形成されている。その際、位置決めブロック５４の内側端面がリング９２の外周を規制して、五徳９を天板の中央に位置するように位置決めを行う。そして全ての調理が終了すると、五徳７及び大型の五徳９を取り外し、カバー６を天板５にセットする。なお、大型の五徳９を使用する場合でも五徳７は天板に取り付けたままの状態で調理を行う。
【００２１】
上記実施の形態では、天板５のガラス板５２及びカバー６をガラス製としたが、セラミックや金属、あるいはその他の適宜の材料を用いることができる。
【図面の簡単な説明】
【図１】本発明の一実施の形態の構成を示す図
【図２】ドロップインコンロの取り付け手順を示す分解図
【図３】取り付け状態を示す部分断面図
【図４】カバーを取り付けた状態を示す断面図
【図５】カバーを取り外した状態を示す断面図
【符号の説明】
１  調理台天板
２  ドロップインコンロ
３  コントローラ
４  コンロ本体
５  天板
６  カバー
７  五徳
８  カバーセンサ
９  （大型の）五徳
【図１】
0003711051.tif 000002
【図２】
0003711051.tif 000003
【図３】
0003711051.tif 000004
【図４】
0003711051.tif 000005
【図５】
0003711051.tif 000006